(57)【要約】      （修正有）【課題】半掛り状態となることがなく、安全で操作が容易な圧力調理器の蓋を提供する。【解決手段】操作機構１０は、固定操作ボタン１１及び固定解除操作ボタン１２と、固定操作ボタン１１及び固定解除操作ボタン１２の下方に位置した縦断面がコ字状の基台と、基台の中央部に枢着したピニオンと、その上方位置において基台の立上り板間に揺動可能に設けたシーソー式の揺動板４０と、揺動板４０を原位置に復帰するバネと、揺動板４０の一側部に垂設した弧状ピニオンと、弧状ピニオン及びピニオンと噛合するラックを内端部に有する。外端部に締付け片６を有し、蓋３の上面部において半径方向で、かつ水平方向に移動される第１スライダー４と、ピニオンと噛合するラックを内端部に有すると共に、外端部に締付け片６を有し、蓋３の上面部において半径方向で、かつ水平方向に移動される第２スライダー５とから構成してある。【選択図】図３
0003172513.tif 000002
【実用新案登録請求の範囲】
【請求項１】
容器本体の開口部を閉塞する蓋であって、該蓋を容器本体に固定するために蓋の上面部において半径方向で、かつ相互に異方向に水平移動可能とした一対のスライダーの外端部に設けた一対の締付け片と、この一対の締付け片は、内側に位置して蓋が容器本体に固定される固定位置と、外側に位置して蓋が容器本体から固定解除される固定解除位置とを移動可能とする操作機構とを備えてなる圧力調理器の蓋において、
前記操作機構は、前記蓋の上面部に設けた蓋カバーの中央部に、略同一上面で隣接して個別に埋設した、押圧式の固定操作ボタン及び固定解除操作ボタンと、
前記固定操作ボタン及び固定解除操作ボタンの下方に位置し、蓋の中央部上面に立設した縦断面がコ字状の基台と、
前記コ字状の基台の中央部に回動自在に枢着したピニオンと、
前記ピニオンの上方位置において前記基台の立上り板間に揺動可能に設けたシーソー式の揺動板と、
シーソー式の揺動板を原位置に復帰するように設けたバネと、
シーソー式の揺動板の一側部に垂設した弧状ピニオンと、
前記弧状ピニオン及びピニオンと噛合するラックを内端部に有するとともに、外端部に前記締付け片を有し、蓋の上面部において半径方向で、かつ水平方向に移動される第１スライダーと、
前記ピニオンと噛合するラックを内端部に有するとともに、外端部に前記締付け片を有し、蓋の上面部において半径方向で、かつ水平方向に移動される第２スライダーとから構成してあることを特徴とする圧力調理器の蓋。
【請求項２】
前記シーソー式の揺動板を原位置に復帰するように設けたバネは、前記コ字状の基台の一部とシーソー式の揺動板との間に設けて、シーソー式の揺動板がシーソー動作し反転保持するようにしてあることを特徴とする請求項１に記載の圧力調理器の蓋。
【請求項３】
前記第１スライダー、第２スライダー又はシーソー式の揺動板には、前記両スライダーの水平移動により、その締付け片が固定解除した開状態に移動したとき、前記蓋に設けた調圧用おもりを開放する作動杆が設けてあることを特徴とする請求項１または２に記載の圧力調理器の蓋。
【請求項４】
前記第１スライダーまたは第２スライダーには、前記両スライダーの水平移動により、その締付け片が固定解除した開状態に移動したとき、前記蓋に設けた安全弁を開放する作動体が設けてあることを特徴とする請求項１〜３のいずれかに記載の圧力調理器の蓋。
【請求項５】
請求項１〜４のいずれかに記載の圧力調理器の蓋を用いたことを特徴とする圧力調理器。
【考案の詳細な説明】
【技術分野】
【０００１】
本考案は、圧力調理器の蓋と、それを用いた圧力調理器に関する。
【背景技術】
【０００２】
従来、この種の圧力調理器は、特開２００７−１９０１６８号公報（特許文献１）に示されているように、容器本体と、該容器本体の開口部を閉塞する蓋とからなり、その圧力調理器の蓋は、該蓋を容器本体に固定するために蓋の上面部において半径方向で、かつ相互に異方向に水平移動可能とした一対のスライダーの外端部に設けた一対の締付け片と、この一対の締付け片は、内側に位置して蓋が容器本体に固定される固定位置と、外側に位置して蓋が容器本体から固定解除される固定解除位置とを移動可能とする操作機構とを備えてなるものである。そして、前記操作機構としては、前記蓋の中央部に歯車軸を回動自在に植設し、該歯車軸にハンドルを設け、かつ蓋の上面にガイド部材を設け、該ガイド部材に前記一対のスライダーを設け、該一対のスライダーに前記歯車軸に同時咬合可能な歯車を設けたものである。
【０００３】
すなわち、この特許文献１の圧力調理器の蓋は、操作機構として、歯車軸のピニオンと、一対のスライダーの内端部に形成したラックとを噛合させる方式を採用しており、前記ハンドルを正逆回動することにより歯車軸の歯と一対のスライダーの歯車と噛合及びガイド部材により一対のスライダーは蓋の半径方向に相互に異方向に移動する。つまり、前記ハンドルを、一つの締付け片が内側に位置する固定位置方向に回動すると、蓋は容器本体に固定される。一方、ハンドルを、一対の締付け片が外側に位置する固定解除位置方向に回動すると、蓋は容器本体から固定解除（開放）される。
【先行技術文献】
【特許文献】
【０００４】
【特許文献１】特開２００７−１９０１６８号公報
【考案の概要】
【考案が解決しようとする課題】
【０００５】
しかしながら、前記特許文献１の圧力調理器の蓋は、前述したように、ハンドルを正逆いずれかに回動することにより、歯車軸のピニオンと、一対のスライダーに形成したラックとの噛合作用により、一対のスライダーの外端部に設けた締付け片を容器本体に固定し、又は固定解除するものであるため、特に、ハンドルを固定位置まで完全に回動せず、途中で止まると、蓋の締付け片が容器本体に対して半掛り（完全な係止状態でないこと）状態となり、事故の原因となる虞れがあった。
【０００６】
そのための改善策として、特許文献１では、ハンドルの回動範囲を固定位置と固定解除位置に規制する規制機構を設けているものの、構造が複雑であるばかりか、この規制機構によっても、利用者の不注意で上記の如く蓋の締付け片が容器本体に対して半掛り状態となる虞れを払拭できない。
【０００７】
さらに、特許文献１における前記ラック・ピニオン機構は、外部に突出したハンドルで作動させるものであるため、該ハンドルが蓋の摘みとしての働きがあるので、使用者が、締付け片の開閉の意思がないにも拘わらず、蓋の摘みとして認識して誤って操作し、蓋が容器本体より固定解除されてしまうという安全上の問題があった。
【０００８】
本考案は、前記特許文献１の圧力調理器の有する欠点を解決しようとするものであり、操作機構として、蓋カバーの中央部に略同一上面で隣接して、個別に操作する別々の２個の押圧式操作ボタンと、該押圧式操作ボタンの押圧操作により揺動されるシーソー式の揺動板と、このシーソー式の揺動板の揺動により、ラック・ピニオン機構及び一対のスライダーを介して、一対の締付け片を固定位置と固定解除位置とを移動可能とすると共に、前記シーソー式の揺動板を原位置に復帰するバネを採用することにより、蓋の締付け片が容器本体に対して半掛り状態となるのを防止すると共に、上記２個の押圧式操作ボタンを択一的に操作するだけで、操作し易い上に、操作ミスの発生を防止し、蓋が容器本体より不用意に固定され、又は固定解除されないようにして、安全上優れるばかりか、コンパクトな構造で、一対の締付け片の開閉が軽い操作でできる圧力調理器の蓋と、それを用いた圧力調理器を提供することを主目的とする。
【課題を解決するための手段】
【０００９】
上記目的を達成するため、本願考案の請求項１の圧力調理器の蓋は、容器本体の開口部を閉塞する蓋であって、該蓋を容器本体に固定するために蓋の上面部において半径方向で、かつ相互に異方向に水平移動可能とした一対のスライダーの外端部に設けた一対の締付け片と、この一対の締付け片は、内側に位置して蓋が容器本体に固定される固定位置と、外側に位置して蓋が容器本体から固定解除される固定解除位置とを移動可能とする操作機構とを備えてなる圧力調理器の蓋において、
前記操作機構は、前記蓋の上面部に設けた蓋カバーの中央部に、略同一上面で隣接して個別に埋設した、押圧式の固定操作ボタン及び固定解除操作ボタンと、
前記固定操作ボタン及び固定解除操作ボタンの下方に位置し、蓋の中央部上面に立設した縦断面がコ字状の基台と、
前記コ字状の基台の中央部に回動自在に枢着したピニオンと、
前記ピニオンの上方位置において前記基台の立上り板間に揺動可能に設けたシーソー式の揺動板と、
シーソー式の揺動板を原位置に復帰するように設けたバネと、
シーソー式の揺動板の一側部に垂設した弧状ピニオンと、
前記弧状ピニオン及びピニオンと噛合するラックを内端部に有するとともに、外端部に前記締付け片を有し、蓋の上面部において半径方向で、かつ水平方向に移動される第１スライダーと、
前記ピニオンと噛合するラックを内端部に有するとともに、外端部に前記締付け片を有し、蓋の上面部において半径方向で、かつ水平方向に移動される第２スライダーとから構成してあることを特徴とする。
【００１０】
請求項２の圧力調理器の蓋は、前記シーソー式の揺動板を原位置に復帰するように設けたバネは、前記コ字状の基台の一部とシーソー式の揺動板との間に設けて、シーソー式の揺動板がシーソー動作し反転保持するようにしてあることを特徴とする。
【００１１】
請求項３の圧力調理器の蓋は、前記第１スライダー、第２スライダー又はシーソー式の揺動板には、前記両スライダーの水平移動により、その締付け片が固定解除した開状態に移動したとき、前記蓋に設けた調圧用おもりを開放する作動杆が設けてあることを特徴とする。
【００１２】
請求項４の圧力調理器の蓋は、前記第１スライダーまたは第２スライダーには、前記両スライダーの水平移動により、その締付け片が固定解除した開状態に移動したとき、前記蓋に設けた安全弁を開放する作動体が設けてあることを特徴とするもので、請求項３と同様に、蓋が固定解除した開放状態において、容器本体内の圧力を抜くことにより、蓋の開放時における内容物の飛散等の恐れを防止し、安全性を向上させることにしている。
【００１３】
請求項５の圧力調理器は、前記請求項１〜４のいずれかに記載の圧力調理器の蓋を用いたことを特徴とする。
【考案の効果】
【００１４】
請求項１の圧力調理器の蓋によれば、押圧式の固定操作ボタンと固定解除操作ボタンとは、蓋の上面部に設けた蓋カバーの中央部に、略同一上面で隣接して個別に埋設しているから、本来の蓋の摘み以外に、前記両操作ボタンを蓋の摘みとして誤って押動することがない。しかも、蓋の容器本体への固定時または固定解除時において、２個の押圧式操作ボタンのいずれの操作ボタンを押動すればよいか一見しただけで確実に確認できる。それと共に、荷造り梱包時の引っ掛かりもなく、外観上も優れている。また、固定操作ボタン又は固定解除操作ボタンを垂直方向に軽く押すだけで、原位置に復帰させるバネを有するシーソー式の揺動板を揺動させて、該シーソー式の揺動板と連動するラック・ピニオン機構で、一対のスライダーを水平移動させ、一対の締付け片を固定位置と固定解除位置とに移動可能としているから、特許文献１に示すようにハンドルを正逆回動する方式の如く蓋の締付け片が容器本体に対して半掛り状態となることがなく、より安全な圧力調理器の蓋が提供できる。
【００１５】
また、前記押圧式の別々の両操作ボタンと、バネ付きのシーソー式の揺動板と、ラック・ピニオン機構（シーソー式の揺動板に垂設した弧状ピニオン、前記シーソー式の揺動板の下方位置でコ字状の基台に枢着したピニオン、第１及び第２のスライダーの内端部に形成したラックとからなる）とを操作機構としているから、小スペースのコンパクトな構造であって、両操作ボタンが押圧式であるので、該操作ボタンを垂直方向へ軽い力で押し下げるだけで、前記両スライダーが水平方向に途中で止まることなく、軽く開閉できて、前記一対の締付け片が容器本体に対して確実に固定され又は固定解除される。
【００１６】
さらに、特許第３０７３６６８号公報に示されているように、蓋の中央部に蓋のつまみを有する、押圧式の固定操作ボタンと水平移動式の固定解除ボタンとからなる操作手段を設け、前記固定操作ボタンを押し下げることにより、スライダーを介して締付け片が固定位置に移動される。一方、固定解除ボタンは、前記蓋のつまみ部を側部に露出し、該つまみ部内に水平方向へ押しこむ構造になっている。この固定解除ボタンを水平方向へ押し込むと、カム板が摺動し、カム面の一部に形成された凹溝に、スライダーに形成した凸部が嵌合して、スライダーを固定解除状態の開状態に保持する構造になっているので、締付け片の開放操作が重いという難点がある。これに対し本願発明の請求項１の発明では、上述のような水平方向押圧式の固定解除ボタンやカム方式を採っていないので、前述したように両スライダーの開閉操作が軽い力でよいという利点がある。
【００１７】
加えて、請求項１の考案では、第１、第２のスライダーは、後述の実施例で説明しているように、両スライダーの内端部に形成したラックは、平面視において、内側と外側の両方に形成することができるので、ラックの形成加工が簡単で容易にできる。例えば、第１スライダーの外側ラックと前記弧状ピニオンとを噛合すると共に、第１及び第２のスライダーの内側ラックと前記基台に枢着したピニオンとを噛合することができるので、特許文献１に示された回動式歯車軸と両スライダーの内側ラックとの噛合方式のものに比べて、押圧式の両操作ボタンの利点を享受することができる。
【００１８】
請求項２の圧力調理器の蓋によれば、前記シーソー式の揺動板を原位置に復帰するように設けたバネは、前記コ字状の基台の一部とシーソー式の揺動板との間に設けて、シーソー式の揺動板がシーソー動作し反転保持するようにしてあるから、前記バネがクリックモーションバネとして、シーソー式の揺動板の揺動姿勢を一定に保持する。
【００１９】
請求項３の圧力調理器の蓋によれば、前記第１スライダー、第２スライダー又はシーソー式の揺動板には、前記両スライダーの水平移動により、その締付け片が固定解除した開状態に移動したとき、前記蓋に設けた調圧用おもりを開放する作動杆が設けてあるから、容器本体内の圧力を抜くことで、固定解除操作ボタンが下動され、両スライダーが固定解除方向に移動されるため、容器本体内の内容物が飛散する恐れもなく安全な圧力調理器の蓋が提供できる。
【００２０】
請求項４の圧力調理器の蓋によれば、前記第１スライダーまたは第２スライダーには、前記両スライダーの水平移動により、その締付け片が固定解除した開状態に移動したとき、前記蓋に設けた安全弁を開放する作動体が設けてあるから、蓋の開状態時には前記安全弁が開弁され容器本体内が減圧されるため、前記請求項３と同様の効果が得られる。
【００２１】
請求項５の圧力調理器の蓋によれば、請求項１〜４のいずれかに記載の圧力調理器の蓋を用いた圧力調理器であるから、前述した請求項１〜４の効果を有する圧力調理器が提供できる。
【図面の簡単な説明】
【００２２】
【図１】本考案に係る圧力調理器の蓋を圧力調理器に適用した実施例１であって、締付け片が固定位置にある状態の全体の斜視図である。
【図２】図１で示した蓋に設けた固定操作ボタン及び固定解除操作ボタンの取付状態を示した概略縦断面図である。
【図３】図１で示した圧力調理器の蓋から蓋カバーを省略して示した圧力調理器の蓋の概略斜視図である。
【図４】図３で示した第１、第２のスライダーと揺動板と弧状ピニオンとの関係を示した概略斜視図である。
【図５】図３で固定操作ボタン、固定解除操作ボタン、該両操作ボタンの取付板及び基台を省略した状態を示した概略斜視図である。
【図６】揺動板とバネと第１スライダーと第２スライダーとの関係を示した概略斜視図である。
【図７】図６で揺動板とバネを省略した状態の概略斜視図である。
【図８】図７で第１スライダーと第２スライダーとを固定解除位置まで移動した状態の概略斜視図である。
【図９】図５で揺動板と弧状ピニオンとピニオンカバーとを省略した状態を示した概略斜視図である。
【図１０】図５における弧状ピニオン及びピニオンとラックとの噛合状態を示した底面図である。
【図１１】ピニオンとラックとの噛合状態を示した要部の平面図である。
【図１２】揺動板と弧状ピニオンの斜視図である。
【図１３】ピニオンの斜視図である。
【図１４】締付け片が固定解除位置にある状態における概略斜視図である。
【図１５−１】調圧用おもりと作動杆との関係を示す説明図であって、（A）は締付け片が固定位置にある場合で、作動杆が調圧用おもりと離間した状態を示し、（B）は前記（A）の状態における調圧用おもりの閉弁状態を示す。
【図１５−２】（C）は締付け片が固定解除位置にある場合で、作動杆が調圧用おもりを当接押動した状態を示し、（D）は前記（C）の状態における調圧用おもりの開弁状態を示す。
【図１６−１】安全弁と作動体との関係を示す説明図であって、（A）は締付け片が固定位置にある場合で、作動体が安全弁を開弁しない閉弁状態を示し、（B）は前記（A）の状態における作動体近辺の構成を示す説明用平面図を示す。
【図１６−２】（C）は締付け片が固定解除位置にある場合で、作動体が安全弁を下動して開弁状態を示し、（D）は前記（C）の状態における作動体近辺の構成を示す説明用平面図を示す。
【考案を実施するための形態】
【００２３】
本考案に係る圧力調理器の蓋は、圧力調理器に適用したものが好適である。
この場合の圧力調理器の蓋は、該蓋を容器本体に固定するために蓋の上面部において半径方向で、かつ相互に異方向に水平移動可能とした一対のスライダーの外端部に設けた一対の締付け片と、この一対の締付け片は、内側に位置して蓋が容器本体に固定される固定位置と、外側に位置して蓋が容器本体から固定解除される固定解除位置とを移動可能とする操作機構とを備えてなる圧力調理器の蓋において、
前記操作機構は、前記蓋の上面部に設けた蓋カバーの中央部に、略同一上面で隣接して個別に埋設した、押圧式の固定操作ボタン及び固定解除操作ボタンと、
前記固定操作ボタン及び固定解除操作ボタンの下方に位置し、蓋の中央部上面に立設した縦断面がコ字状の基台と、
前記コ字状の基台の中央部に回動自在に枢着したピニオンと、
前記ピニオンの上方位置において前記基台の立上り板間に揺動可能に設けたシーソー式の揺動板と、
シーソー式の揺動板を原位置に復帰するように設けたバネと、
シーソー式の揺動板の一側部に垂設した弧状ピニオンと、
前記弧状ピニオン及びピニオンと噛合するラックを内端部に有するとともに、外端部に前記締付け片を有し、蓋の上面部において半径方向で、かつ水平方向に移動される第１スライダーと、
前記ピニオンと噛合するラックを内端部に有するとともに、外端部に前記締付け片を有し、蓋の上面部において半径方向で、かつ水平方向に移動される第２スライダーとから構成してあることを特徴とする。
【００２４】
そして、前記シーソー式の揺動板を原位置に復帰するように設けたバネは、前記コ字状の基台の一部とシーソー式の揺動板との間に設けて、シーソー式の揺動板がシーソー動作し反転保持するようにして、このバネの働きにより、蓋が容器本体に固定される固定位置と、蓋が容器本体から固定解除される固定解除位置とを確実に安定するようにする方が好適である。このバネの取付位置はこれに限定されない。
【００２５】
また、蓋が容器本体から外れる時、つまり前記締付け片が固定解除した開状態に移動した時には、容器本体内の圧力が完全に減圧されて大気圧と同一にする必要がある。容器本体内の圧力が高いままで蓋を容器本体から外すと、内容物が外部へ飛散する恐れもあり、安全上から好ましくない。
そこで、本考案では、前記第１スライダー、第２スライダー又はシーソー式の揺動板には、前記両スライダーの水平移動により、その締付け片が固定解除した開状態に移動したとき、前記蓋に設けた調圧用おもりを開放する作動杆を設けるのが好ましい。
また、上記以外に、前記第１スライダーまたは第２スライダーには、前記両スライダーの水平移動により、その締付け片が固定解除した開状態に移動したとき、前記蓋に設けた安全弁を開放する作動体を設けるのが好ましい。
上記調圧用おもり及び作動杆と、安全弁及び作動体とは、少なくとも一方だけを設けることもできるが、安全性を高めるためには両方を併設するのが最適である。なお、、両者のほかに蒸気抜き弁なども併設する方が更に好ましい。
より詳細には、以下の実施例１を参照するとよい。
【実施例１】
【００２６】
本考案の実施例１を図１〜図１６に基づいて以下に説明する。
図１に示すように、この圧力調理器１は、有底で略円筒状の容器本体２と、この容器本体２の開口部（図示せず）を閉塞する蓋３とで構成されている。
【００２７】
容器本体２には、開口部の周縁に断面コ字状で環状の周縁部が形成されていると共に、外周側壁の直径位置に対向して一対の把手２ａ、２ａ（図１では他方の把手は図示されていない）がネジ止めや溶接等により突設されている。
【００２８】
蓋３は、円板状であって、その外周縁部には下向き鍔部３ａが垂下されており、この下向き鍔部３ａの内側に環状パッキン（図示せず）が嵌装され、この蓋３を容器本体２に被蓋するときに、容器本体２の環状周縁部に前記環状パッキンが圧接されて、容器本体２が気密に保持される。
【００２９】
蓋３の上面部の直径線上には、図３、図５、図９、図１４に示すように、半径方向で、かつ相互に異方向に水平移動可能とした一対のスライダー（第１スライダー４，第２スライダー５）が設けられている。そして、この一対のスライダー４，５の外端部には、一対の円弧状の締付け片６，７が溶接などにより設けられている。そして、前記一対の締付け片６，７は、一対のスライダー４，５を介して、蓋３が容器本体２に固定される固定位置Ｌと、蓋３が容器本体２から固定解除される固定解除位置Ｆとの間を移動する。また、一対の締付け片６，７は、それぞれ容器本体２の周縁部及び蓋３の下向き鍔部３ａを抱き込み可能に形成されている。
【００３０】
前記一対の締付け片６，７が、固定位置Ｌと固定解除位置Ｆとの間を移動可能とするのは操作機構１０が担っている。
以下に、この操作機構１０について説明する。
【００３１】
前記操作機構１０は、前記蓋３の上面部に設けた蓋カバー３ｂの中央部に、略同一上面で隣接して個別に埋設した、押圧式の固定操作ボタン１１及び固定解除操作ボタン１２と、
前記固定操作ボタン１１及び固定解除操作ボタン１２の下方に位置し、蓋３の中央部上面に立設した縦断面がコ字状の基台２０と、
前記コ字状の基台２０の中央部に回動自在に枢着したピニオン３０と、
前記ピニオン３０の上方位置において前記基台２０の立上り板２２，２３間に揺動可能に設けたシーソー式の揺動板４０と、
シーソー式の揺動板４０を原位置に復帰するように設けたバネ４９と、
シーソー式の揺動板４０の一側部に垂設した弧状ピニオン５０と、
前記弧状ピニオン５０及びピニオン３０と噛合するラック６０を内端部に有するとともに、外端部に前記締付け片６を有し、蓋３の上面部において半径方向で、かつ水平方向に移動される第１スライダー４と、
前記ピニオン３０と噛合するラック６５を内端部に有するとともに、外端部に前記締付け片７を有し、蓋３の上面部において半径方向で、かつ水平方向に移動される第２スライダー５とから構成してある。
【００３２】
蓋３の上面部に設けた蓋カバー３ｂの中央部には、図２に示すように、直径方向に楕円状の貫通穴３ｃを穿設し、この貫通穴３ｃの裏面には操作ボタン取付板３ｄを下方からネジ１５止め等により固定してある。操作ボタン取付板３ｄと貫通穴３ｃの上端部との空室１６には、前記固定操作ボタン１１と固定解除操作ボタン１２が上下動自在に嵌装してある。すなわち、固定操作ボタン１１と固定解除操作ボタン１２は、同一形状のものを対称的に配置したものであり、両操作ボタン１１、１２は、図２、図３、図４に示されているように、１個の仮想楕円板の短軸中央部を切断した半割体を押ボタン部１１ａ、１２ａとするとともに、該押ボタン部１１ａ、１２ａの裏面には、シーソー式の揺動板４０の上面を押動するための小径の脚部１１ｂ、１２ｂが垂設され、この脚部１１ｂ、１２ｂにコイルバネ１７、１７が巻装されている。前記脚部１１ｂ、１２ｂは、操作ボタン取付板３ｄに形成した脚部挿入穴３ｅ、３ｆに上下動自在に嵌挿されている。
【００３３】
また、前記押ボタン部１１ａ、１２ａの側壁には複数の係止片１１ｃ…１１ｃ、１２ｃ…１２ｃが突設してあり、この係止片１１ｃ…１１ｃ、１２ｃ…１２ｃが、蓋３の貫通穴３ｃの内周壁面の上部に形成した係止受部（図示せず）に係止することにより、押ボタン部１１ａ、１２ａの上面が蓋カバー３ｂと略同一上面（完全な同一上面に限らず実質的に同一視し得る場合も含む意味である。）となるようにしてある。
【００３４】
押ボタン部１１ａの上面（表面）には、ＬＯＣＫ，ＣＬＯＳＥ、閉の文字等や絵文字等のいずれかを表記し、押ボタン部１２ａの上面（表面）にはＵＮＬＯＣＫ，ＯＰＥＮ、開等の文字や絵文字等のいずれかを表記して、使用者が一見しただけで操作し易く、操作ミスを防ぐようにしてある。
【００３５】
前記固定操作ボタン１１と固定解除操作ボタン１２を設けた蓋カバー３ｂの中央部から左右の略直径範囲には図１に示すように、ほぼ帯状の傾斜面を有する隆起部３ｇを形成し、この隆起部３ｇの両側壁を窪ませて人間の手指で把持できるつまみ部３ｈ、３ｈとしてある。これにより、特許文献１に示す如く回動式ハンドルを把持するものに比べて、把持し易い上に、安全性にも優れている。
【００３６】
なお、蓋カバー３ｂは、コ字状の基台２０と、ピニオン３０と、シーソー式の揺動板４０と、そのバネ４９と、弧状ピニオン５０と、第１スライダー４と、第２スライダー５とを被覆するものであって、蓋３の操作ボタン取付板３ｄの中央部には螺軸３ｋが垂設してある。この螺軸３ｋは、シーソー式の揺動板４０の中央部に形成した切欠き部４６、ピニオン３０の軸穴３２，ピニオン３０を被覆するピニオンカバー３３の中央部に形成した軸穴３４，前記基台２０の底板２１に形成した軸穴２１ａ、及び蓋３の中央部に穿設した貫通孔３ｍに嵌挿して、蓋３の裏面側からナット９で固定して、蓋カバー３ｂを蓋３上面側に固定してある。
【００３７】
前記蓋３の上面の直径方向には、帯状の凹部３ｎが形成されていると共に、この凹部３ｎの中央部には断面が略四角形状の凹陥部３ｐ（図７、図８参照）が形成されている。
【００３８】
縦断面がコ字状の基台２０は、図７と図８に示されているように、略四角形状の底板２１と、該底板２１の前後両端部に立上がらせた一対の立上り板２２、２３とからなると共に、後部の立上り板２３は図面上左側（外側）に延設した突出部２３ａを形成している。この基台２０は、具体的には、一枚のステンレス鋼板により、底板２１部と、該底板２１部の前後両端部位を折り曲げ加工によって一対の立上り板２２、２３部を形成する。この場合、後部の立上り板２３は予め前記突出部２３ａだけ前部の立上り板２２より長く形成しておく。
【００３９】
そして、前記基台２０の底板２１を、蓋３の凹部３ｎの中央部に形成した凹陥部３ｐに落し込んで、該底板２１の上面と蓋３の凹部３ｎの上面が同一面となるようにして、該底板２１を蓋３の上面に溶接等により固定する。このとき、底板２１の軸穴２１ａと、蓋３の中央部に穿設した貫通孔３ｍとは連通してある。このようにして基台２０は蓋３の上面に固定される。
【００４０】
また、前記コ字状の基台２０の底板２１上には、図９、図１０，図１１及び図１３に示されているように、外周に多数の歯３１…３１を有するとともに、中央部に軸穴３２を形成したピニオン３０が載置されている。
【００４１】
このピニオン３０の上方には、該ピニオン３０が回動自在で、かつ上動するのを規制するために、図７及び図８に示すように、中央部に軸穴３４を有すると共に、左右に取付脚５，３５を有するピニオンカバー３３を設けている。すなわち、ピニオンカバー３３の取付脚３５，３５を基台２０の底板２１に溶接等により固定して、ピニオン３０が回動自在にできて、しかも上動や左右動しないようにしている。
【００４２】
前記シーソー式の揺動板４０は、図１２に示されているように、中央部が水平板状部４１で、その左側と右側が傾斜面とした傾斜板状部４２、４３とで一体に形成し、前記左側傾斜板状部４２は後部を短くすると共に、水平板状部４１の前端部と後端部の直線位置には、コ字状の基台２０の立上り板２２、２３に形成された係合凹部２２ａ、２３ｃに係合される係合片４４，４５を突出してある。そして、左側傾斜板状部４２の後方から、水平板状部４１の後部位置から前部位置に掛けて切欠き部４６を形成しており、この切欠き部４６に前記蓋３の操作ボタン取付板３ｄに垂設した螺軸３ｋが挿通される。
【００４３】
また、シーソー式の揺動板４０の水平板状部４１の前端部に突出した係合片４４には、下部に複数の歯５１…５１を有する弧状ピニオン５０が垂設されている。
【００４４】
さらに、シーソー式の揺動板４０の右側傾斜板状部４３の後端近辺には、バネを掛けるための孔４７が穿設されている。一方、コ字状の基台２０の後部の立上り板２３の突出部２３ａにはバネ掛け部２３ｂが形成してある（図６〜図７参照）。そこで、前記右側傾斜板状部４３の孔４７と、前記基台２０のバネ掛け部２３ｂとの間に、コイルバネ等のバネ４９を掛架しており、このバネ４９のクリック作用により、シーソー式の揺動板４０がシーソー動作し安定して反転保持される。そればかりでなく、このバネ４９は、前記第１スライダー４と第２スライダー５の水平移動により、その締付け片６，７が固定位置にある状態と、固定解除位置にある状態とを安定して保持する役割も有している。
【００４５】
第１スライダー４と第２スライダー５とは、図３〜図５，図９〜図１１に示されているように、略長方形状の板体の内端側は一部を残して切欠いて先細部を有する同一形状のものを左右に対称的に配置したものである。すなわち、両スライダー４，５は、前記先細部をラックとするとともに、内端部（ラック）より外側に長穴４ａ、５ａを形成し、外端部より内側に断面がだるま状の穴４ｂ、５ｂが形成されている。前記長孔４ａ、５ａには蓋３の上面に固定されたガイドピン８、８が嵌挿されており、これにより両スライダー４，５が蓋３の上面部において相互に異方向に水平移動されるときに、一直線上に水平移動されるようにしていると共に、左右動の摺動範囲を規制している。
【００４６】
第１スライダー４は、内端側の前部に形成された先細部をラック６０とし、このラック６０の外側に複数の外側歯６１…６１を、内側に複数の内側歯６２…６２を形成している。そして、ラック６０の外側歯６１…６１は弧状ピニオン５０の歯５１と噛合していると共に、ラック６０の内側歯６２…６２はピニオン３０の歯３１と噛合している。また、第１スライダー４の外端部には、前述した締付け片６が溶接などにより固定してある。
【００４７】
第２スライダー５は、内端側の後部に形成された先細部をラック６５とし、このラック６５の外側に複数の外側歯６６…６６を、内側に複数の内側歯６７…６７を形成している。そして、ラック６５の内側歯６７…６７はピニオン３０の歯３１と噛合している。また、第２スライダー５の外端部には、前述した締付け片７が溶接などにより固定してある。
【００４８】
次に、本実施例１の作用について以下に説明する。
例えば、被調理物を容器本体２に収容して、蓋３を容器本体２に固定する場合には、図１に示す固定操作ボタン１１を下動することにより、図５の如く、シーソー式の揺動板４０の傾斜板状部４３が押されると共に、弧状ピニオン５０が時計方向に回動され、その弧状ピニオン５０の歯５１…５１と第１スライダー４のラック６０の外側歯６１…６１とが噛合して、第１スライダー４を蓋の径方向内側方向（図５で左方向）へ移動する。それと同時に、第１スライダー４のラック６０の内側歯６２…６２とピニオン３０の歯３１…３１との噛合により、該歯３１…３１が第２スライダー５のラック６５の内側歯６７…６７と噛合して、第２スライダー５を蓋の径方向内側方向（図５で右方向）へ移動する。これにより、図１、図５、図９に示すように、第１スライダー４の締付け片６と第２スライダー５の締付け片７とが、内側に位置して容器本体２の上部開口縁部（図示せず）を係止し、蓋３が容器本体２に固定される。この固定位置の保持は、基台２０とシーソー式の揺動板４０との間に掛架したバネ４９が担っている。
なお、前記固定操作ボタン１１は、それに対する押動操作を停止すると、該固定操作ボタン１１に内蔵したコイルバネ１７（図２参照）の弾発力により押ボタン１１ａを原位置まで上動する。
【００４９】
例えば、調理完了時等において、蓋３を容器本体２から固定解除する場合には、図１に示す固定解除操作ボタン１２を下動することにより、図１４の如く、シーソー式の揺動板４０の傾斜板状部４２が押されると共に、弧状ピニオン５０が反時計方向に回動され、その弧状ピニオン５０の歯５１…５１と第１スライダー４のラック６０の外側歯６１…６１とが噛合して、第１スライダー４を蓋の径方向外側方向（図５で右方向）へ移動する。それと同時に、第１スライダー４のラック６０の内側歯６２…６２とピニオン３０の歯３１…３１との噛合により、該歯３１…３１が第２スライダー５のラック６５の内側歯６７と噛合して、第２スライダー５を蓋の径方向外側方向（図５で左方向）へ移動する。これにより、第１スライダー４の締付け片６と第２スライダー５の締付け片７とが、外側に位置して容器本体２の上部開口縁部（図示せず）との係止を解除し、蓋３による容器本体２への固定が解除される。この固定解除位置の保持は、基台２０とシーソー式の揺動板４０との間に掛架したバネ４９が担っている。
なお、前記固定解除操作ボタン１２は、それに対する押動操作を停止すると、該固定解除操作ボタン１２に内蔵したコイルバネ１７（図２参照）の弾発力により押ボタン１２ａを原位置まで上動する。
【００５０】
本考案の圧力調理器の蓋には、種々の圧力調整装置が取り付けられている。
【００５１】
例えば、図１５（A）〜（D）に示すように、おもり式の圧力調整装置７０が取り付けられている。このおもり式の圧力調整装置７０は、蓋３の適所に穿設した連通穴３ｑに嵌挿して下面からナット７６で固定したノズル７１と、このノズル７１の蒸気通路７２の弁座部７３に着座して閉弁する弁体７５を有する調圧用おもり７４とからなっている。
【００５２】
一方、図１５（A）に示されるように、一対のスライダー４，５に設けた一対の締付け片６，７が、内側に位置して蓋３が容器本体２に固定される固定位置状態において、第１スライダー４の後部側には、前記おもり式の圧力調整装置７０と離間して、倒立Ｌ字状の作動杆７８が溶接又は一体成形等により立設してある。それゆえ、この両締付け片６，７の固定位置状態においては、図１５（B）に示されているように、調圧用おもり７４の弁体７５がノズル７１の弁座部７３に着座して閉弁状態である。
【００５３】
これに対し、両スライダー４，５の水平移動により、その締付け片６，７が、外側に位置して蓋３が容器本体２から固定解除される固定解除位置状態（開状態）に移動したとき、図１５（C）に示すように、第１スライダー４に立設した作動杆７８の横棒部７８ａが調圧用おもり７４に当接し、該調圧用おもり７４を同図面において右方向へ移動する。
そのため、図１５（D）に示すように、調圧用おもり７４の弁体７５の弁部とノズル７１の弁座部７３との間に隙間Ｓが生じて開弁状態となり、容器本体２内の蒸気が排出されて、減圧される結果、内容物が飛散する恐れもなく安全である。
【００５４】
なお、このおもり式の圧力調整装置７０は、第２スライダー５側に取り付けることもできる。例えば、図１５（A）で、調圧用おもり７４を図面上の左側の対称位置に取り付けると共に、作動杆７８は第２スライダー５の後部側に立設して、前述のように、おもり式の圧力調整装置として作動させることができる。
また、シーソー式の揺動板４０の傾斜板状部４２に作動杆７８を接続すると共に、両スライダーの締付け片６，７が固定解除位置状態（開状態）において、前記作動杆７８が当接して移動され開弁される調圧用おもり７４を、蓋３の適所に設けることもできる。
【００５５】
さらに、図１６は、今一つの圧力調整装置を示している。この圧力調整装置８０は前記両スライダー４，５の水平移動により、その締付け片６、７が固定解除位置状態（開状態）に移動したとき、前記蓋３に設けた安全弁８１を開放する作動体８５が前記第１スライダー４または第２スライダー５に設けてあることを特徴とするものである。
【００５６】
すなわち、前記一対の締付け片６，７が固定位置状態にあるときに、第１スライダー４又は第２スライダー５に形成された前記長孔４ａ（又は５ａ）の一部下方の蓋３には、図１６（A）に示すように、凹部３ｒを形成すると共に、該凹部３ｒの中央部には容器本体２と連通する連通孔３ｓを穿設し、この連通孔３ｓにパッキン８２を介して安全弁８１が上下動可能に嵌装されている。この安全弁８１と前記長孔４ａ（５ａ）との間には、取付部材８３やコイルバネ等のバネ８４を介して、円板状の回転ローラーとしての作動体８５が設けてある。図１６（A）、（B）の場合、作動体８５はスライダー４（５）で押圧されていず、長孔４ａ（５ａ）を臨んでいるため、安全弁８１は連通孔３ｓを閉塞した閉弁状態である。
【００５７】
一方、図１６（C）、（D）に示すように、両スライダー４，５の水平移動により締付け片６，７が固定解除状態（開状態）に移動すると、前記作動体８５がスライダー４（５）で、バネ８４の付勢力に抗して押圧されて安全弁８１が下動される。その結果、容器本体２内の蒸気は図１６（C）で示す矢印方向へ排出される。
【００５８】
そのほか、図１、図３〜図５、図９、図１４で示す９０は公知の蒸気抜き弁、図１４で示す９１も蒸気孔である。
【符号の説明】
【００５９】
１          圧力調理器  
２          容器本体
３          蓋
３ｂ        蓋カバー
３ｄ        操作ボタン取付板
３ｋ        螺軸
４          第１スライダー
４ａ        長穴
５          第２スライダー
５ａ        長穴
６          締付け片
７          締付け片
１０        操作機構
１１        固定操作ボタン
１２        固定解除操作ボタン
２０        コ字状の基台
２１        底板
２２        立上り板
２３        立上り板
３０        ピニオン
３１        歯
３３        ピニオンカバー
４０        シーソー式の揺動板
４２        傾斜板状部
４３        傾斜板状部
５０        弧状ピニオン
５１        歯
６０        ラック
６１        外側歯
６２        内側歯
６５        ラック
６７        内側歯
７０        おもり式の圧力調整装置
７１        ノズル
７２        蒸気通路
７４        調圧用おもり
７５        弁体
７８        作動杆
８０        圧力調整装置
８１        安全弁
８４        バネ
８５        作動体
Ｓ          隙間
【図１】
0003172513.tif 000003
【図２】
0003172513.tif 000004
【図３】
0003172513.tif 000005
【図４】
0003172513.tif 000006
【図５】
0003172513.tif 000007
【図６】
0003172513.tif 000008
【図７】
0003172513.tif 000009
【図８】
0003172513.tif 000010
【図９】
0003172513.tif 000011
【図１０】
0003172513.tif 000012
【図１１】
0003172513.tif 000013
【図１２】
0003172513.tif 000014
【図１３】
0003172513.tif 000015
【図１４】
0003172513.tif 000016
【図１５−１】
0003172513.tif 000017
【図１５−２】
0003172513.tif 000018
【図１６−１】
0003172513.tif 000019
【図１６−２】
0003172513.tif 000020